(57)【要約】      （修正有）【課題】安全なウエイトトレーニングを可能とするバーベル用のバーを提供する。【解決手段】使用者がウエイトトレーニング時に保持する箇所である直線状のバー１の両端にヒンジ構造を有する連結部２を設け、それぞれにロッド３を連結する。ロッドの連結部とは逆側の端（下端部）にウエイトプレート取り付け部４を設ける。ウエイト取り付け部の下端面は床面と平行となっており、バーベルを床面に置いた場合自立する構造とする。これにより、ウエイトトレーニング時に過負荷によってバーベルの持ち上げが不能となり、バーベルが落下した場合にもバーが床面から離れた位置で停止することとなり、使用者の身体を過度に圧迫することを防ぎ安全が確保される。【選択図】図１
2014147429.tif 000002
【特許請求の範囲】
【請求項１】
以下の（１）〜（４）の特徴を有するバーベル用のバー：
（１）直線状のバーの両端にロッドが、使用時において床面に対して垂直になるよう連結されている。
（２）バーとロッドの連結部は可動域を有するヒンジ構造となっている。
（３）ウエイト取り付け部の下端面が床面と平行となっており、バーベルを床面に置いた場合自立する構造となっている。
（４）ウエイトプレート取り付け時のウエイト部の重心が、使用時におけるバーとロッド連結部から床面への垂直軸上にほぼ位置するようになっているウエイト取り付け部の構造となっている。
【請求項２】
バーとロッドの連結部の可動域は、バーベルの自立性を損なうことのない範囲に制限されていることを特徴とする請求項１に記載のバーベル用のバー。
【請求項３】
ロッドは、複数の部品からなり一般的なロックピン構造等を有することにより長さの調節が可能となっていることを特徴とする請求項１に記載のバーベル用のバー。
【発明の詳細な説明】
【技術分野】
【０００１】
本発明は、ウエイトトレーニング時の安全性を向上させた新規構造のバーべル用のバーに関するものである。
【背景技術】
【０００２】
スポーツ用具の一種であるバーベルは、ウエイトリフティングやパワーリフティング等のスポーツ競技の用具として使用される場合や、各種スポーツの競技力向上や健康増進を目的としたウエイトトレーニング用として汎用されている。
【０００３】
しかしながら、バーベルを用いたウエイトトレーニングは使用重量の設定を誤ると、バーベルの持ち上げ不能となる場合がある。持ち上げ不能となると、他人の補助がない場合、バーベルを落下させることとなる。特に、直立した状態から膝関節の屈曲・伸展を行う運動であるスクワットやベンチに仰向けに横たわった状態で胸の位置でのバーベルの上げ下げを行うベンチプレス等でこのような状態に陥ると、身体がバーベルによって押しつぶされることとなり重篤なケガや場合によっては生命の危険さえ起こりうる。
【０００４】
上記のような危険な状態に陥ることを防止するため、一般にセイフティーラックと呼ばれるバーベルの落下防止機構を有する器具も市販されている。これは、床面より高い適当な位置の使用者の両側に、バーベル両端のより内側に配したバーベルを受け止めるバーを設置したものであり、バーベルが持ち上げ不能となり、バーベルが落下した場合にもバーベルの負荷がセイフティーラックのバーに受け止められることとなり使用者の安全が確保されるものとなっている。
【０００５】
しかし、このようなセイフティーラックを設置した場合、十分な設置スペースが必要であることや、費用面の理由により設置していないトレーニング施設も多い。このような施設におけるトレーニングは安全面での問題があり、また限界重量に挑戦するような高負荷の追い込んだトレーニングを行うことは難しく、使用者の能力向上の妨げとなることが考えられる。また、通常セイフティーラックのバーはバーベルのウエイト部と使用者の間に位置するように設置されているため、バーベルが落下した場合バーベルとセイフティーラックのバーの間に指等の身体の一部を挟み込んでしまう可能性もある。
【先行技術文献】
【特許文献】
【０００６】
【特許文献１】特開２００７−１７５３１９号公報
【発明の概要】
【発明が解決しようとする課題】
【０００７】
解決しようとする問題点は、従来のバーベル用のバーが両端にウエイトプレート取り付け部が存在し、使用時にバーベルが落下した場合にはバーがセイフティーラックを使用した場合と異なり、床面から離れた適当な位置に停止せず使用者が危険にさらされることである。
【課題を解決するための手段】
【０００８】
本発明はバーの両端に、下端部にウエイトプレート取り付け部を有するロッドを連結し、バーベルが落下し床面にウエイト部が接地した状態において自立する構造となっており、バーが床面から適当に離れた位置で停止することを最も主要な特徴とする。
【発明の効果】
【０００９】
本発明のバーベル用のバーを用いたバーベルは、使用者がバーベルを持ち上げ不能となり、バーベルが落下した場合においても、バーが床面から適当に離れた位置で停止することにより、使用者の安全を確保できる。
【図面の簡単な説明】
【００１０】
【図１】バーベル用のバーの外観図である。
【図２】ウエイトプレート上面からの図である。
【図３】ウエイトプレート取り付け時のバーベル正面からの図である。
【図４】ウエイトプレート取り付け時のバーベル側面からの図である。
【図５】バーベルを用いたスクワット実施時の正面からの図である。
【図６】バーベルを用いたスクワット実施時の側面からの図である。
【図７】バーベルを用いたベンチプレス実施時の頭頂部からの図である。
【発明を実施するための形態】
【００１１】
図１に示すように、使用者がウエイトトレーニング時に保持する箇所である直線状のバーの両端にヒンジ構造を有する連結部を設け、それぞれにロッドを連結する。ロッドの連結部とは逆側の端（下端部）にウエイト取り付け部を設ける。ウエイト取り付け部の下端面は床面と平行となっており、バーベルを床面に置いた場合自立する構造となっている。これにより、ウエイトトレーニング時に過負荷によってバーベルの持ち上げが不能となり、バーベルが落下した場合にもバーが床面から離れた位置で停止することとなり、使用者の身体を過度に圧迫することを防ぎ安全が確保される。
【００１２】
バーとロッドの連結部はヒンジ構造を有するものとしているがこれは以下の理由からである。バーベル使用時には必ずバーのしなりが発生するため連結部の角度を変えようとする力が発生する。当然このしなりはウエイト重量が増すにつれ大きくなり、これに伴い連結部の角度を変えようとする力も大きくなる。このとき、連結部が不動の構造となっている場合、連結部に負荷が集中しバーやロッドの変形や金属疲労による破損が生じる可能性ある。このようなことを防ぐため連結部はヒンジ構造のような可動域を有する構造が望ましい。しかし、その可動域はバーベルの自立性を損なわない程度に制限されたものでなければならない。
【００１３】
ウエイト取り付け時のウエイト部の重心は、使用時におけるバーとロッド連結部から床面への垂直軸上にほぼ位置することが望まれる。これは、図１に示したようなウエイト取り付け部の構造により可能となる。このようなウエイト取り付け部の構造により高重量のウエイトを取り付けた場合にもロッドのぶれが小さくなり、バーベルの自立性を損なわず、またバーとロッドの連結部への負荷も軽減されることとなる。ウエイトプレートは通常の中央部に穴が空いたタイプのものも使用可能であるが迅速な取り付けや取り外しが難しいため、図２に示されるような中央部から周辺部かけて切れ込みが入っている形状のものがより適している。
【００１４】
ロッドは、複数の部品からなり一般的なロックピン構造等を有することにより長さの調節が可能となっていることが望ましい。これにより、運動の種類、使用者の体形や希望の負荷に応じた調整が可能となる。
【産業上の利用可能性】
【００１５】
ウエイトトレーニング時の安全性を向上させた新規構造のバーべル用のバーを提供することができる。
【符号の説明】
【００１６】
１  バー
２  連結部
３  ロッド
４  ウエイトプレート取り付け部
５  ウエイトプレート
６  床面
７  ベンチ
【図１】
2014147429.tif 000003
【図２】
2014147429.tif 000004
【図３】
2014147429.tif 000005
【図４】
2014147429.tif 000006
【図５】
2014147429.tif 000007
【図６】
2014147429.tif 000008
【図７】
2014147429.tif 000009